(57)【特許請求の範囲】
【請求項１】
車体上に塵芥を収容する塵芥収容箱が設けられるとともに、この塵芥収容箱の後端に塵芥投入箱が連設された塵芥収集車において、
前記塵芥収容箱が上下に少なくとも２つの収容室に分割されるとともに、前記分割された収容室に対応して前記塵芥投入箱が各投入部に上下に分割され、これら各投入部には塵芥を各収容室に積み込むための積込装置がそれぞれ設けられ、一方、前記上側の投入部に設けられた積込装置は、この投入部に対応する収容室の後部開口に対して前後に揺動可能に設けられた積込板と、この積込板を揺動させる積込シリンダとから構成され、さらに、上側の投入部には、当該投入部に投入された塵芥を前記積込装置側に導いてこの積込装置による収容室への塵芥の積み込みを円滑に行うための積込ガイド装置が設けられたことを特徴とする塵芥収集車。
【発明の詳細な説明】
【０００１】
【発明の属する技術分野】
本発明は、塵芥収集車、特に、上下に分割された少なくとも２つの収容室を有し、これら収容室に塵芥を分別して収容可能な塵芥収集車に関するものである。
【０００２】
【従来の技術】
従来、特開平３−１５２００２号公報記載のものに見られるように、塵芥収容箱内が仕切板で左右の収容室に区画され、区画された左右の収容室の後部開口に塵芥積込装置を備えた塵芥投入箱をそれぞれ設け、これら塵芥積込装置により左右の収容室に塵芥を分別して収容する塵芥収集車が提供されている。
【０００３】
【発明が解決しようとする課題】
しかしながら、上記従来の塵芥収集車では、収容室を左右に区画しているため、左右の収容室に収容する塵芥に比重差がある場合には、車輌の左右のバランスが悪くなり、走行中、特に遠心力が作用するカーブ走行などで車輌の転倒を招く危険があり、安全上の問題があった。
【０００４】
また、区画された収容室ごとに構成が略同様な塵芥積込装置がそれぞれ必要になるとともに、収容室に分別して収容した塵芥を分別して排出するためには、左右の収容室に対応した排出機構がそれぞれ必要になり、装置が複雑且つ大型化するという問題があった。
【０００５】
【課題を解決するための手段】
請求項１に係る発明の塵芥収集車は、車体上に塵芥を収容する塵芥収容箱が設けられるとともに、この塵芥収容箱の後端に塵芥投入箱が連設された塵芥収集車において、前記塵芥収容箱が上下に少なくとも２つの収容室に分割されるとともに、前記分割された収容室に対応して前記塵芥投入箱が各投入部に上下に分割され、これら各投入部には塵芥を各収容室に積み込むための積込装置がそれぞれ設けられ、一方、前記上側の投入部に設けられた積込装置は、この投入部に対応する収容室の後部開口に対して前後に揺動可能に設けられた積込板と、この積込板を揺動させる積込シリンダとから構成され、さらに、上側の投入部には、当該投入部に投入された塵芥を前記積込装置側に導いてこの積込装置による収容室への塵芥の積み込みを円滑に行うための積込ガイド装置が設けられたものである。
【００１１】
【発明の実施の形態】
以下、本発明の実施の形態を図面を参照して説明する。
【００１２】
図１は、本発明に係る塵芥収集車の概略の全体構成を示している。
図において、１は、塵芥収集車の車枠上に搭載された塵芥収容箱であって、塵芥収容箱は、水平に配置された仕切壁１ａによって上収容室１１と下収容室１２との上下二段に区画されている。
【００１３】
この塵芥収容箱１は、図２に示すように、ダンプシリンダ１３により適宜なダンプ機構１４を介して後方下部を中心にして上方に傾動自在に構成されている。上下２段に区画された塵芥収容箱１は、その後部が開口されており、この開口に塵芥投入箱２が枢軸２１（図１参照）を以て傾動可能に連設されている。
【００１４】
上記塵芥投入箱２は、図２に示すように、前記塵芥収容箱１の上収容室１１と下収容室１２とに対応して上投入部３と下投入部４との上下二段に区画されており、上投入部３が上収容室１１に連通されるとともに、下投入部４が下収容室１２に連通されている。
【００１５】
前記下投入部４内には、塵芥積込装置５が装備されており、この塵芥積込装置５によって下投入部４の背面に形成された投入口４１から投入された塵芥を下収容室１２内に積み込むように構成されている。
【００１６】
前記塵芥積込装置５は、前後に揺動自在な押込板５１と、回転自在な回転板５２とから構成されている。
【００１７】
押込板５１は、その上部と塵芥投入箱２の上部間に設けられた揺動シリンダ５３により枢軸５４を中心に揺動自在に構成されている。
【００１８】
回転板５２は図示しない油圧モータ等の駆動装置により枢軸５５を中心に回転自在に構成されている。
【００１９】
そして、回転板５２の回転に応じて押込板５１を揺動させることで、投入口４１から投入した塵芥を回転板５２で押しつぶして圧縮した後、押込板５１によって下収容室１２内に積み込む。
【００２０】
前記上投入部３は、上記下投入部４の左右側面が延長された両側板３ａと、前記下投入部４との間を区画する底板３ｂとで構成されている。従って、上投入部３は、前部、後部及び上部が開口されている。
【００２１】
この上投入部３の前部には、上投入部３の後方から投入された塵芥を上収容室１１に積み込むための積込板３１が枢軸３２を以て前後に揺動自在に設けられている。
【００２２】
上記積込板３１は、一体に形成された作動アーム３１ａを介して上収容室１１の上面に配設された積込シリンダ３３が連設されており、積込シリンダ３３の伸長動作により上収容室１１の後部開口に突入して塵芥を積み込む積込位置（図２の実線参照）と、積込シリンダ３３の縮退動作により上投入部３の上部開口と略同じ高さとなる水平位置（図２の二点鎖線参照）との間で揺動自在に構成されている。
【００２３】
そして、積込板３１は、上記積込位置では上収容室１１の後部開口を閉塞した状態になっており、また、上記水平位置では上収容室１１の後部開口を開放した状態になっている。これら積込板３１と積込シリンダ３３とにより積込装置３０が構成されている。
【００２４】
次に、このように構成された塵芥収集車の塵芥積込動作について説明する。
まず、多量の水分を含んた生ごみなどのように比重の大きい塵芥は、下投入部４に投入口４１を介して投入され、この下投入部４に設けられた塵芥積込装置５を構成する押込板５１の揺動動作と回転板５２の回転動作によって下収容室１２に積み込まれて収容される。
【００２５】
次に、ダンボールなどのように上記生ごみに比べて比重の小さい塵芥は、上投入部３の後方開口から当該上投入部３に投入され、この上投入部３に設けられた積込板３１の揺動動作によって上収容室１１に積め込まれて収容される。
【００２６】
具体的には、上投入部３への塵芥の投入にあたって、まず、積込板３１を水平位置に配置し、この状態で塵芥を適当量投入した後に、積込板３１を下方に向かって積込位置まで揺動させることで、上投入部３に投入された塵芥が上収容室１１に強制的に積み込まれる。
【００２７】
このようにして上下２段の上収容室１１と下収容室１２とに各塵芥を分別した状態で収容することができる。
【００２８】
この際、上収容室１１には、下収容室１２に収容される塵芥に比べて比重の小さい塵芥が収容されるため、車輌全体の重心位置を低く保つことができ、走行中、特に、遠心力が作用するカーブ走行中においても安定した走行を確保でき、安全である。
【００２９】
また、上投入部３に設けた積込装置は、積込板３１と積込シリンダ３３とで簡単に構成されたものであり、装置全体が複雑化及び大型化することがない。
【００３０】
次に、前述のようにして上収容室１１と下収容室１２とに分別して収容した塵芥を排出する場合について説明する。
【００３１】
まず、下収容室１２に収容した塵芥を排出する場合は、上投入部３の積込板３１を積込位置に配置して上収容室１１の後部開口を閉塞する。
【００３２】
この状態で、塵芥投入箱２全体を枢軸２１を中心にして上方に持ち上げた後、塵芥収容箱１全体をその後方下部を中心に上方に傾動させる。
【００３３】
この際、上収容室１１の後部開口は上述したように積込板３１で閉塞されていることから、下収容室１２の後部開口のみが開口されており、上述した塵芥収容箱１の傾動により当該下収容室１２に収容した塵芥のみがその後部開口から排出される。
【００３４】
次に、上収容室１１に収容した塵芥を排出する場合は、上投入部３の積込板３１を水平位置に配置して上収容室１１の後部開口を開放する。
【００３５】
この状態で、前述と同様に塵芥投入箱２全体を枢軸２１を中心にして上方に持ち上げた後、塵芥収容箱１全体をその後方下部を中心に上方に傾動させることで、上述したように下収容室１２の塵芥が排出されていることから上収容室１１に収容した塵芥のみが排出される。
【００３６】
このようにして下収容室１２と上収容室１１とに分別収容した塵芥を分別した状態で排出することができる。
【００３７】
図３は、前記積込板による上収容室１１への積み込みを円滑に行うための積込ガイド装置を設けた塵芥収集車の構成を示している。なお、前述した塵芥収集車と同様の部材には同符号を付して説明は省略する。
【００３８】
この積込ガイド装置６は、上投入部３の底面に配置されたガイド板６１を備えたものである。
【００３９】
ガイド板６１は、その後端部が上方に屈折形成された揺動部材６２の上面にその後端部を湾曲した状態で設けられており、揺動部材６２の前端が上投入部３と下投入部４の前部境界を区画する底板３ｂに枢軸６３によって揺動自在に枢支されている。
【００４０】
また、揺動部材６２の途中部には傾動シリンダ６４の伸縮ロッド６４ａが連結されており、この傾動シリンダ６４の伸長作動によりガイド板６１が上投入部３の底面の後端から底板３ｂにかけて水平状態に配置された水平位置から枢軸６２を中心にして上方に傾動自在に構成されている。
【００４１】
このようにして積込ガイド装置６を構成することで、上収容室１１の塵芥を積み込む際には、ガイド板６１を水平状態にするとともに、積込板３１を水平位置に配置する。そして、この状態で塵芥を上投入部３に投入することで、当該塵芥がガイド板６１上に載せられ、続いてガイド板６１を上方に傾動させると、ガイド板６１がシュートの役割を果して塵芥を積込板３１の下方に案内する。この後、積込板３１を積込位置まで揺動させることで、塵芥が上収容室１１に積み込まれる。
【００４２】
このように積込ガイド装置６を上投入部３に設けることで、上投入部３に投入した塵芥を積込板３１に確実に導くことができ、この積込板３１の揺動動作によって上収容室１１へ塵芥を円滑に積み込んで収容することができる。
【００４３】
図４は、積込ガイド装置の他の構成を示している。
この積込ガイド装置７は、上投入部３の後部にシュート７１を備え、当該シュート７１が作動シリンダ７２により前後に往復動可能に構成されたものである。シュート７１は、後端から前端にかけて下方に傾斜したガイド面７１ａを有するとともに、その後端から立上片７１ｂが上方に所定長さ立ち上げられて形成されている。
【００４４】
よって、シュート７１を上投入部３の後端に配置した状態で、その上方から塵芥を投入した後、シュート７１を作動シリンダ７２により前方に移動させることで、当該シュート７１に投入した塵芥を積込板３１の下方に確実に導くことでき、この積込板３１の揺動動作によって上収容室１１へ塵芥を円滑に積み込んで収容することができる。
【００４５】
図５は、積込ガイド装置のさらに他の構成を示している。
この積込ガイド装置８は、上投入部３の略中央部に回転板８１を備えたもので、当該回転板８１が図示しない油圧モータ等のアクチュエータにより水平軸８２を中心にして図５において時計回りの方向に回転可能に構成されている。
【００４６】
よって、回転板８１の回転動作と積込板３１の揺動動作とを連動させることで、上投入部３に投入した塵芥を上収容室１１に収容していく。
【００４７】
詳しくは、塵芥を投入する場合には、回転板８１を図５の実線で示す位置に配置するととともに、積込板３１を水平位置に配置し、この状態で上投入部３の後部から塵芥を投入する。塵芥が投入されると、回転板８１を図５の二点鎖線で示す位置まで回転させてこの塵芥を積込板３１の下方に案内する。この後、積込板３１を積込位置に揺動させて塵芥を上収容室１１に積み込む。
【００４８】
そして、積込板３１が積込位置に揺動した際に、回転板８１を回転させて図５の実線で示す位置に再び配置し、この後に、積込板３１を再び水平位置に配置して次の塵芥の投入に備える。
【００４９】
このようにして回転板８１と積込板３１とを連動させることで、両者が干渉することなく、上投入部３に投入した塵芥を回転板８１によって積込板３１の下方に確実に導くことでき、この積込板３１の揺動動作によって上収容室１１へ塵芥を円滑に積み込んで収容することができる。
【００５０】
【発明の効果】
以上述べたように、本発明によれば、塵芥収容箱を上下に少なくとも２つの収容室に分割し、上側の収容室には下側の収容室に収容する塵芥に比べて比重の軽いものを収容することにより、車輌全体の重心位置を低く保つことができ、走行中、特に、遠心力が作用するカーブ走行中においても安定した走行を確保でき、安全である。
【００５１】
また、上側の投入部に設けた積込装置を、積込板と積込シリンダとで簡単に構成することで、装置全体が複雑にならず、大型化も抑制できる。
【００５２】
さらに、積込板の開閉動作を利用して下収容室と上収容室とに収容した塵芥を排出することで、これら下収容室と上収容室とに分別収容した塵芥を分別した状態で容易に排出することができる。
【図面の簡単な説明】
【図１】本発明の塵芥収集車の全体構成を示す側面図である。
【図２】塵芥収集車の塵芥投入箱に設けた各積込装置周辺の構成を示す断面図である。
【図３】積込ガイド装置を設けた塵芥収集車の構成を示す断面図である。
【図４】他の積込ガイド装置を設けた塵芥収集車の構成を示す断面図である。
【図５】さらに他の積込ガイド装置を設けた塵芥収集車の構成を示す断面図である。
【符号の説明】
１  塵芥収容箱
１１  上収容室
１２  下収容室
２  塵芥投入箱
３  上投入部
３０  積込装置
３１  積込板
３３  積込シリンダ
４  下投入部
５  塵芥積込装置
６、７、８    積込ガイド装置
【図１】
0003643221.tif 000002
【図２】
0003643221.tif 000003
【図３】
0003643221.tif 000004
【図４】
0003643221.tif 000005
【図５】
0003643221.tif 000006